(57)【要約】      （修正有）【課題】表示パネルを損傷させることなく、ケース体から回路基板を外すことが可能な表示装置を提供する。【解決手段】接続部材２０は、表示パネル１０に一端が電気的に接続される。回路基板３０は、接続部材２０の他端が電気的に接続される。ケース体４０は、表示パネル１０を保持する。ケース体４０は、回路基板３０を押圧するピンを挿通可能な孔部４３，４４，４５，４６を有する。ケース体４０は、表示パネル２０を係止する弾性係止部４２を有する。弾性係止部４２は、押圧片４２ｂを有する。【選択図】図１
2014222180.tif 000002
【特許請求の範囲】
【請求項１】
表示パネルと、前記表示パネルに一端が電気的に接続される接続部材と、前記接続部材の他端が電気的に接続される回路基板と、前記表示パネルを保持するケース体と、を備えた表示装置であって、
前記ケース体は、前記回路基板を押圧するピンを挿通可能な複数の孔部を有することを特徴とする表示装置。
【請求項２】
表示パネルと、前記表示パネルに一端が電気的に接続される接続部材と、前記接続部材の他端が電気的に接続される回路基板と、前記表示パネルを保持するケース体と、前記回路基板に搭載された発光素子と、前記発光素子によって透過照明される表示部を有する表示板と、を備えた表示装置であって、
前記ケース体は前記回路基板を押圧するピンを挿通可能な複数の孔部を有すると共に、前記孔部は前記表示板の前記表示部がない個所で隠されることを特徴とする表示装置。
【請求項３】
前記ケース体は、少なくとも３個の前記孔部を有することを特徴とする請求項１または請求項２に記載の表示装置。
【請求項４】
前記接続部材の前記他端は、前記回路基板に搭載されたコネクタ部材に挿通されていることを特徴とする請求項１または請求項２に記載の表示装置。
【請求項５】
前記接続部材は、所定方向に配列された複数の金属端子からなることを特徴とする請求項１または請求項２に記載の表示装置。
【請求項６】
少なくとも２個の前記孔部の前記所定方向の間隔は、前記接続部材の前記所定方向の幅よりも大きいことを特徴とする請求項５に記載の表示装置。
【請求項７】
前記ケース体は、前記表示パネルを係止する弾性係止部を有することを特徴とする請求項１に記載の表示装置。
【請求項８】
前記弾性係止部は、押圧片を有することを特徴とする請求項７に記載の表示装置。
【発明の詳細な説明】
【技術分野】
【０００１】
本発明は、液晶表示パネル等の表示パネルを備えた表示装置に関するものである。
【背景技術】
【０００２】
従来より、液晶表示パネルを備えた車両用表示装置が種々提案されており、例えば特許文献１，特許文献２に開示されている。斯かる車両用表示装置は、積算走行距離等を表示する液晶表示パネルを備えており、この液晶表示パネルは金属製の金属端子によって回路基板と電気的に接続されている。
【先行技術文献】
【特許文献】
【０００３】
【特許文献１】特開２００５−２４３０６号公報
【特許文献２】特開２００５−１００６３号公報
【発明の概要】
【発明が解決しようとする課題】
【０００４】
しかしながら、回路基板をケース体から外すときに、液晶表示パネルを損傷させる虞があった。例えば、車両用表示装置の製造工程において、回路基板に不良個所が発見された場合、ケース体から回路基板を外す必要がある。また、ケース体にキズが発見された場合、液晶表示パネル及び回路基板をケース体から外して、その外した液晶表示パネルを、再度、キズが無いケース体に組付ける必要があるが、回路基板をケース体から外すときに、液晶表示パネルを損傷させる虞があった。
本発明は、表示パネルを損傷させることなく、ケース体から回路基板を外すことが可能な表示装置を提供するものである。
【課題を解決するための手段】
【０００５】
本発明は、表示パネル１０，５０，５１と、前記表示パネル１０，５０，５１に一端が電気的に接続される接続部材２０，６０，６１，６２と、前記接続部材２０，６０，６１，６２の他端が電気的に接続される回路基板３０，７０と、前記表示パネル１０，５０，５１を保持するケース体４０，８０と、を備えた表示装置１，４であって、前記ケース体４０，８０は、前記回路基板３０，７０を押圧するピン１２１，１２２，１２３，１２４，３２２，３２３を挿通可能な複数の孔部４３，４４，４５，４６，８３，８４，８５，８６，８７を有するものである。
【０００６】
また、本発明は、表示パネル５０，５１と、前記表示パネル５０，５１に一端が電気的に接続される接続部材６０，６１，６２と、前記接続部材６０，６１，６２の他端が電気的に接続される回路基板７０と、前記表示パネル５０，５１を保持するケース体８０と、前記回路基板７０に搭載された発光素子７２と、前記発光素子７２によって透過照明される表示部９１を有する表示板９０と、を備えた表示装置であって、前記ケース体８０は前記回路基板７０を押圧するピン３２２，３２３を挿通可能な複数の孔部８３，８４，８５，８６，８７を有すると共に、前記孔部８３，８４，８５，８６，８７は前記表示板９０の前記表示部９１がない個所で隠されるものである。
【０００７】
また、本発明は、前記ケース体４０，８０は、少なくとも３個の前記孔部４３，４４，４５，４６，８３，８４，８５，８６，８７を有するものである。
【０００８】
前記接続部材２０，６０，６１，６２の前記他端は、前記回路基板３０，７０に搭載されたコネクタ部材３５，７５に挿通されているものである。
【０００９】
また、本発明は、前記接続部材２０，６０，６１，６２は、所定方向に配列された複数の金属端子からなるものである。
【００１０】
また、本発明は、少なくとも２個の前記孔部４３，４４，４５，４６，８３，８４，８５，８６の前記所定方向の間隔Ｗ１は、前記接続部材２０，６０，６１，６２の前記所定方向の幅Ｗ２よりも大きいものである。
【００１１】
また、本発明は、前記ケース体４０，８０は、前記表示パネル１０，５０，５１を係止する弾性係止部４２，８２を有するものである。
【００１２】
また、本発明は、前記弾性係止部４２は、押圧片４２ｂを有するものである。
【発明の効果】
【００１３】
表示パネルを損傷させることなく、ケース体から回路基板を外すことができる。
【図面の簡単な説明】
【００１４】
【図１】本発明の第一実施形態を示す実施形態を示す断面図。
【図２】同上実施形態を示す液晶表示装置を治具２にセットした状態の説明図。
【図３】同上実施形態を示す液晶表示装置を治具２にセットした状態の説明図。
【図４】同上実施形態を示す液晶表示装置を治具３にセットした状態の説明図。
【図５】本発明の第二実施形態を示す正面図。
【図６】同上実施形態を示す断面図。
【図７】同上実施形態を示す断面図。
【図８】同上実施形態を示す正面図。
【図９】同上実施形態を示す液晶表示装置を治具５にセットした状態の説明図。
【図１０】本発明の第三実施形態を示す正面図。
【図１１】同上実施形態を示す正面図。
【発明を実施するための形態】
【００１５】
以下、添付図面に基づいて、本発明の一実施形態を説明する。図１乃至図４は、第一実施形態を示すものである。液晶表示装置１は、液晶表示パネル１０と、接続部材２０と、回路基板３０と、ケース体４０とを備えている。
【００１６】
液晶表示パネル１０は、透明電極が形成された一対の透光性基板に液晶を封入した液晶セルの前後両面に偏光板を貼着したものである。液晶表示パネル１０は、ケース体４０の前面側に保持されている。液晶表示パネル１０は、回路基板３０に搭載されたドライバー回路によって駆動され、車両の積算走行距離を表示する。また、液晶表示パネル１０は、回路基板３０の前面に搭載されたＬＥＤ（Light Emitting Diode）等の発光素子によって透過照明される。
【００１７】
接続部材２０は複数の金属端子からなるものであり、接続部材２０の一端が液晶表示パネル１０に電気的に接続され、接続部材２０の他端がコネクタ部材３５を介して回路基板３０に電気的に接続される。回路基板３０は、ガラスエポキシ樹脂からなる基材３１に、銅箔からなる配線パターンを形成したものである。回路基板３０には、接続部材２０の他端が挿通されるコネクタ部材３５が搭載されている。回路基板３０には、後述するピン１２１，１２４の突起１２１ａ，１２４ａが挿入される貫通孔３２が形成されている。
【００１８】
ケース体４０は不透明な樹脂からなるものであり、ケース体４０の前面側に液晶表示パネル１０が保持されている。回路基板３０は、弾性係止部（図示しない）によって、ケース体４０の後面側に保持されている。ケース体４０は、液晶表示パネル１０を支持する支持部４１と、液晶表示パネル１０を係止する弾性係止部４２とを有しており、支持部４１及び弾性係止部４２により、液晶表示パネル１０を保持している。
【００１９】
ケース体４０の弾性係止部４２は、液晶表示パネル１０を係止する係止爪４２ａと、後述する治具３のピン２２２，２２３に押圧される押圧片４２ｂとを有している。ケース体４０の弾性係止部４２は、押圧片４２ｂを押圧したときに弾性変形し、係止爪４２が液晶表示パネル１０を解放するようになっている。ケース体４０には、後述するピンが挿通される孔部４３，４４，４５，４６が形成されている。ケース体４０の孔部４３，４４，４５，４６は、ケース体４０を貫通するものである。回路基板３０の前面の、孔部４３，４４，４５，４６に対応する個所には、電気部品が搭載されていない。
【００２０】
治具２は、基台１１０と、ピン１２１，１２２，１２３，１２４と、可動部１３０とを備えている。
【００２１】
治具２の基台１１０は、金属または樹脂からなるものであり、平板形状になっている。ピン１２１，１２２，１２３，１２４は、金属または樹脂からなるものであり、略円柱形状になっている。ピン１２１，１２２，１２３，１２４は、基台１１０の上面から垂直に設けられている。ピン１２２，１２３の上端面は、平面になっている。一方、ピン１２１，１２４の上端面には、回路基板３０を位置決めする突起１２１ａ，１２４ａが形成されている。
【００２２】
可動部１３０は、コイルバネ１３１と、このコイルバネ１３１に挿通されるロッド部１３２と、このロッド部１３２の上端が固定される当接部１３３と、基台１１０に固定されたベース部１３４と、を有している。当接部１３３の上面は、平面になっており、ケース体４０の前面に当接する。可動部１３０のロッド部１３２は、円柱形状になっており、ベース部１３４及び基台１１０を貫通している。可動部１３０の当接部１３３は、所定のストローク範囲で、上下方向に移動することができる。
【００２３】
治具３は、基台２１０と、ピン２２１，２２２，２２３，２２４と、可動部２３０と、台座２４０とを備えている。治具３の基台２１０は、金属または樹脂からなるものであり、平板形状になっている。
【００２４】
可動部２３０は、コイルバネ２３１と、このコイルバネ２３１に挿通されるロッド部２３２と、このロッド部２３２の上端が固定される当接部２３３と、基台２１０に固定されたベース部２３４と、を有している。当接部２３３の上面は、平面になっており、ケース体４０の前面に当接する。可動部２３０のロッド部２３２は、円柱形状になっており、ベース部２３４及び基台２１０を貫通している。可動部２３０の当接部２３３は、所定のストローク範囲で、上下方向に移動することができる。
【００２５】
治具３の台座２４０は、平板形状の受け部２４１と、この受け部２４１の上面に貼着されたクッション部２４２と、受け部２４１を支持する支柱２４３とを有している。台座２４０の受け部２４１は、液晶表示パネル１０よりも大きな矩形状になっており、基台２１０の上面から所定高さに配置されている。台座２４０のクッション部２４２は、シリコーンゴム等の緩衝部材からなるものである。
【００２６】
次に、図２及び図３に基づいて、接続部材２０がコネクタ部材３５に挿通された回路基板３０をケース体４０から外す方法について説明する。
【００２７】
先ず、液晶表示装置１を裏返して、治具２に液晶表示装置１をセットする（図２参照）。このとき、治具２のピン１２１，１２２，１２３，１２４は、夫々、ケース体４０の孔部４３，４４，４５，４６に挿通され、治具２のピン１２１，１２２，１２３，１２４の上面が回路基板３０の前面に当接する。ピン１２１，１２４の突起１２１ａ，１２４ａは、回路基板３０の貫通孔３２に挿入され、回路基板３０が位置決めされる。
【００２８】
次に、液晶表示装置１のケース体４０を押して、下向きの力Ｆを加えることにより、コネクタ部材３５から接続部材２０が抜けて、回路基板３０がケース体４０から外れる（図３参照）。
【００２９】
図４は、回路基板３０が外された液晶表示装置１を治具３にセットした状態を示すものである。
【００３０】
回路基板３０が外された液晶表示装置１を治具３にセットしたとき、治具３のピン２２２，２２３は、弾性係止部４２の押圧片４２ｂに当接する。次に、ケース体４０を押して、下向きの力を加えることにより、液晶表示パネル１０が、ケース体４０から外れる。そして、ケース体４０から外れた液晶表示パネル１０は、治具３の台座２４０で受け止められる。
【００３１】
第一実施形態は、治具２により回路基板３０を外し、治具３により液晶表示パネル１０を外すものであったが、治具２と治具３との作用を組み合わせた１個の治具により、回路基板３０及び液晶表示パネル１０を外せるように構成しても良い。
【００３２】
図５乃至図９は、第二実施形態を示すものである。液晶表示装置４は、液晶表示パネル５０と、接続部材６０と、回路基板７０と、ケース体８０と、表示板９０とを備えている。
【００３３】
液晶表示パネル５０は、透明電極が形成された一対の透光性基板に液晶を封入した液晶セルの前後両面に偏光板を貼着したものである。液晶表示パネル５０は、ケース体８０の前面側に保持されている。液晶表示パネル５０は、回路基板７０に搭載されたドライバー回路によって駆動され、車両速度を表示する。また、液晶表示パネル５０は、回路基板７０の前面に搭載されたＬＥＤ（Light Emitting Diode）等の発光素子７３によって透過照明される。
【００３４】
液晶表示パネル５０の対向する２辺には、複数の金属端子からなる接続部材６１，６２が固定されている。接続部材６１，６２は、液晶表示パネル５０と回路基板７０とを電気的に接続する。接続部材６１，６２は、液晶表示パネル５０の横方向（Ｘ軸方向）に、所定の配列幅Ｗ２で配列されている。接続部材６１，６２の一端は液晶表示パネル５０に電気的に接続され、接続部材６１，６２の他端はコネクタ部材７５に挿通されている。
【００３５】
回路基板７０は、ガラスエポキシ樹脂からなる基材７１に、銅箔からなる配線パターンを形成したものである。回路基板７０は、ケース体８０の後面に、弾性係止片（図示しない）で係止されている。回路基板７０には、発光素子７２，７３，コネクタ部材７５，ドライバー回路，コンデンサ等の電気部品が実装されている。
【００３６】
ケース体８０は不透明な樹脂からなるものであり、ケース体８０の前面側に液晶表示パネル５０が保持され、ケース体８０の後面側に回路基板７０が保持される。ケース体８０は、液晶表示パネル５０を支持する支持部８１と、液晶表示パネル１０を係止する弾性係止部８２とを有しており、支持部８１及び弾性係止部８２により、液晶表示パネル５０を保持している。
【００３７】
ケース体８０には、後述するピンが挿通される孔部８３，８４，８５，８６が形成されている。ケース体８０の孔部８３，８４，８５，８６は、ケース体８０を貫通するものである。回路基板７０の前面の、孔部８３，８４，８５，８６に対応する個所には、電気部品が搭載されていない。
【００３８】
ケース体８０の孔部８３，８４は、接続部材６１，６２から所定間隔Ｗ３を有するように、液晶表示パネル５０の右側に配置されている。ケース体８０の孔部８５，８６は、接続部材６１，６２から所定間隔Ｗ４を有するように、液晶表示パネル５０の左側に配置されている。孔部８３，８４と孔部８５，８６との間隔Ｗ１は、接続部材６１，６２の配列幅Ｗ２よりも大きくなっている。
【００３９】
表示板９０は、薄板形状になっており、透過表示部９１及び遮光部９２を有している。表示板９０は、両面粘着部材にてケース体８０の前面に貼着されている。表示板９０の透過表示部９１は、回路基板７０に搭載された発光素子７２によって透過照明される。表示板９０には、液晶表示パネル５０の表示部を視認するための矩形の窓部９３が形成されている。ケース体８０の孔部８３，８４，８５，８６は、表示板９０の遮光部９２によって隠され、液晶表示装置４の前面側からは視認されない。
【００４０】
治具５は、基台３１０と、ピン３２２，３２３と、可動部３３０とを備えている。治具５の基台３１０は、金属または樹脂からなるものであり、平板形状になっている。ピン３２２，３２３は、金属または樹脂からなるものであり、略円柱形状になっている。ピン３２２，３２３は、基台３１０の上面から垂直に設けられている。
【００４１】
次に、図９に基づいて、接続部材６０がコネクタ部材７５に挿通された回路基板７０をケース体８０から外す方法について説明する。なお、この場合、表示板９０はケース体８０に貼着されていない。
【００４２】
先ず、液晶表示装置４を裏返して、治具５に液晶表示装置４をセットする。このとき、治具５のピン３２２，３２３は、夫々、ケース体８０の孔部８３，８４，８５，８６に挿通され、治具５のピン３２２，３２３の上面が回路基板７０の前面に当接する。次に、液晶表示装置４のケース体８０を押して、下向きの力Ｆを加えることにより、液晶表示パネル５０と垂直な方向（Ｚ軸方向）に、回路基板７０のコネクタ部材７５に挿通された接続部材６１，６２がコネクタ７５から引き抜かれる。
【００４３】
ケース体８０の孔部８３，８４，８５，８６は、３個以上で、且つ、１直線上にないことが望ましく、回路基板７０が液晶表示パネル５０と平行な状態のままで、接続部材６１，６２をコネクタ７５から引き抜くことができる。また、孔部８３，８４と孔部８５，８６との間隔Ｗ１は、接続部材６１，６２の配列幅Ｗ２よりも大きくなっているため、液晶表示パネル５０に過度の応力が加わることなく、接続部材６１，６２をコネクタ７５から引き抜くことができる。
【００４４】
第一，第二実施形態によれば、液晶表示パネル１０，５０を損傷させることなく、コネクタ部材３５，７５に接続部材２０，６１，６２が挿通された回路基板３０，７０をケース体４０，８０から外すことができる。
【００４５】
なお、本発明は、第一，第二実施形態に限定されるものではなく、種々の変形が可能であり、例えば、表示パネルは、有機ＥＬパネルであっても良い。また、図１０及び図１１に示す第三実施形態のように、ケース体８０の孔部８４，８５，８７は３個であっても良い。また、接続部材６０は、液晶表示パネル５０の一辺に設けても良い。
【００４６】
また、第二実施形態は、ケース体８０の孔部８３，８４，８５，８６が、表示板９０の遮光部９２によって隠されるものであるが、表示板に不透過表示部を設け、この不透過表示部によって孔部を隠しても良い。
【符号の説明】
【００４７】
１０    液晶表示パネル（表示パネル）
２０    接続部材
３０    回路基板
３５    コネクタ部材
４０    ケース体
４２    弾性係止部
４２ｂ  押圧片
４３    孔部
４４    孔部
４５    孔部
４６    孔部
５０    液晶表示パネル（表示パネル）
６０    接続部材
６１    接続部材
６２    接続部材
７０    回路基板
７２    発光素子
７５    コネクタ部材
８０    ケース体
８２    弾性係止部
８３    孔部
８４    孔部
８５    孔部
８６    孔部
８７    孔部
９０    表示板
９１    透過表示部（表示部）
【図１】
2014222180.tif 000003
【図２】
2014222180.tif 000004
【図３】
2014222180.tif 000005
【図４】
2014222180.tif 000006
【図５】
2014222180.tif 000007
【図６】
2014222180.tif 000008
【図７】
2014222180.tif 000009
【図８】
2014222180.tif 000010
【図９】
2014222180.tif 000011
【図１０】
2014222180.tif 000012
【図１１】
2014222180.tif 000013